(57)【要約】      （修正有）【課題】ＬＥＤの発熱を抑制するためのヒートシンクを小型化し、美観に優れたＬＥＤ照明器具を提供する。【解決手段】ＬＥＤ光源の裏面部に複数枚の板状突起部２１を備えたヒートシンク２を取り付け、このヒートシンクの中央部は板状突起部をなくし、板状突起部がない重量は全板状突起部の該１／３で、突起部の上端部が複数個の放熱穴３１を設けた笠３で覆うようにして、温度上昇を抑え、デザイン性に優れたＬＥＤ照明器具とする。【選択図】図１
2015103513.tif 000002
【特許請求の範囲】
【請求項１】
ＬＥＤ光源の裏面部に複数個の板状突起部を平行に配置したヒートシンクを取付け、前記ヒートシンクの中央部は板状突起部がなく、突起部がない範囲は全板状突起部の該１／３で、前記突起部上端部を複数個の放熱穴を設けた笠で覆ってなるＬＥＤ照明器具。
【発明の詳細な説明】
【技術分野】
【０００１】  本発明は、ＬＥＤを光源とする照明器具に関するものである。
【背景技術】
【０００２】  従来、照明器具の光源として白熱球や蛍光灯、水銀灯などが用いられてきたが、省電力の見地からＬＥＤを光源とする照明器具が採用されるようになってきた。【０００３】  このＬＥＤは、水銀灯などの代わりに使用されるときは高照度が要求されるため、高出力にする必要がある。そのためＬＥＤの出力は１００Ｗ以上の電力になりＬＥＤの発熱が高くなる。ＬＥＤの発熱を抑える手段としてヒートシンクをＬＥＤの裏面に取り付けていた。また、美観を高めるためヒートシンクを笠などで覆って使用するときは、大型の高容量のヒートシンクを使用していた。
【発明の開示】
【発明が解決しようとする課題】
【０００４】  しかし、ヒートシンクを取り付けたＬＥＤ器具は水銀灯器具に比べて重量が重いため、器具を設置する天井の強度を強くしなければならない。リニューアルで水銀灯の器具の代わりにＬＥＤ器具を設置するときは、天井の強度を強くするわけにはいかないので、ＬＥＤ器具の重量を軽くし、かつＬＥＤの温度上昇を抑える必要がある。
【課題を解決するための手段】
【０００５】  前記問題点を解決するため、本発明はＬＥＤ光源の裏面部に平行に複数枚の板状突起部を備えたヒートシンクを取り付け、このヒートシンクの中央部は板状突起部をなくし、なくす重量が全板状突起物の該１／３で、板状突起部の上端部が複数個の放熱穴を設けた笠で覆われるようにした。
【発明の効果】
【０００６】  本発明によれば、外気が、高温になったヒートシンクの平行な複数枚の板状突起部の間に流れ込むが、暖かい空気は板状突起部間の中央まで流れる間に上部に抜けていくため、中央部の板状突起部は特に必要なく、笠に設けられた複数個の放熱穴より抜けていく。高温になったヒートシンクの温度は低下し、結果としてＬＥＤの温度が低下する。このためヒートシンクは小型化でき、器具の軽量化がはかれる。【０００７】  また、ヒートシンクの上面は笠で覆われているため美観に優れた構造を提供できる。
【発明を実施するための最良の形態】
【０００８】  以下、図面に基づき本発明の実施の形態を説明する。【０００９】  図１は、本発明の一実施例を示すＬＥＤ照明器具の斜視図である。
図２は、本発明のヒートシンクの一実施例を示すの斜視図である。【００１０】  このＬＥＤ照明器具は、ＬＥＤ収納部１に複数のＬＥＤが取り付けられ、ＬＥＤ収納部１の背面には複数の板状突起部２１が平行に配置されたヒートシンク２が取り付けられていて、ヒートシンク２の中央部は板状突起部２１がなく、板状突起部がない範囲２２は板状突起部２１の全重量の該１／３である。ヒートシンク２の上部には、器具の美観を良くする笠３が取り付けられ、ヒートシンク２の突起部２１の上面を覆っている。この笠３には複数の放熱穴３１が笠３の上面に設けられているが、放熱穴の位置は笠３の側面でも良い。【００１１】  ＬＥＤ器具が点灯するとＬＥＤの温度が上昇し、その温度はヒートシンク２に伝達され、ヒートシンク２の温度が上昇する。ヒートシンク２は外気より高温になるため、空気の対流により外気はヒートシンク２の板状突起部間に流れ込み、ヒートシンク２の温度は外気で低下し、内部の熱い空気は放熱穴３１を通して器具外部に放出される。
板状突起部２１がヒートシンク２全体にあるときのＬＥＤの温度上昇は５５Ｋであるが、中央部の板状突起部がない範囲２２が板状突起部全重量の１／３でもＬＥＤの温度上昇は５５Ｋであるが、それ以上、例えば板状突起部の１／２の中央部をなくすとＬＥＤの温度上昇は６２Ｋになり、温度上昇は大きく上昇する。【００１２】  ＬＥＤの温度上昇試験を行ったところ、笠３に放熱穴３１を設けないとＬＥＤの温度は１５Ｋ上昇する。また、笠３に放熱穴３１を設けず、本発明品とＬＥＤの温度上昇を同一にするには、ヒートシンク２の大きさを１．５倍にしなければならない。美観を良くする笠３を取り付けて、笠３に放熱穴３１を設けることでヒートシンクを小型化し、照明器具の重量を軽量化できる。
【図面の簡単な説明】
【００１３】
【図１】本発明の一実施例を示すＬＥＤ照明器具の斜視図。
【図２】本発明のヒートシンク一実施例を示す斜視図。
【符号の説明】
【００１４】  １・・・ＬＥＤ収納部          ２・・・ヒートシンク
２１・・・ヒートシンクの板状突起部
２２・・・板状突起部がない範囲
３・・・笠    ３１・・・笠の放熱穴
【図１】
2015103513.tif 000003
【図２】
2015103513.tif 000004
【手続補正書】
【提出日】平成26年4月2日(2014.4.2)
【手続補正１】
【補正対象書類名】明細書
【補正対象項目名】全文
【補正方法】変更
【補正の内容】
【発明の詳細な説明】
【技術分野】
【０００１】  本発明は、ＬＥＤを光源とする照明器具に関するものである。
【背景技術】
【０００２】  従来、照明器具の光源として白熱球や蛍光灯、水銀灯などが用いられてきたが、省電力の見地からＬＥＤを光源とする照明器具が採用されるようになってきた。【０００３】  このＬＥＤは、水銀灯などの代わりに使用されるときは高照度が要求されるため、高出力にする必要がある。そのためＬＥＤの出力は１００Ｗ以上の電力になりＬＥＤの発熱が高くなる。ＬＥＤの発熱を抑える手段としてヒートシンクをＬＥＤの裏面に取り付けていた。また、美観を高めるためヒートシンクを笠などで覆って使用するときは、大型の高容量のヒートシンクを使用していた。
【発明の開示】
【発明が解決しようとする課題】
【０００４】  しかし、ヒートシンクを取り付けたＬＥＤ器具は水銀灯器具に比べて重量が重いため、器具を設置する天井の強度を強くしなければならない。リニューアルで水銀灯の器具の代わりにＬＥＤ器具を設置するときは、天井の強度を強くするわけにはいかないので、ＬＥＤ器具の重量を軽くし、かつＬＥＤの温度上昇を抑える必要がある。
【課題を解決するための手段】
【０００５】  前記問題点を解決するため、本発明はＬＥＤ光源の裏面部に複数枚の板状突起部を備えたヒートシンクを取り付け、このヒートシンクの中央部は板状突起部をなくし、なくす重量が全板状突起物の該１／３で、板状突起部の上端部が複数個の放熱穴を設けた笠で覆われるようにした。
【発明の効果】
【０００６】  本発明によれば、外気が、高温になったヒートシンクの複数枚の板状突起部の間に流れ込むが、暖かい空気は板状突起部間の中央まで流れる間に上部に抜けていくため、中央部の板状突起部は特に必要なく、笠に設けられた複数個の放熱穴より抜けていく。高温になったヒートシンクの温度は低下し、結果としてＬＥＤの温度が低下する。このためヒートシンクは小型化でき、器具の軽量化がはかれる。【０００７】  また、ヒートシンクの上面は笠で覆われているため美観に優れた構造を提供できる。
【発明を実施するための最良の形態】
【０００８】  以下、図面に基づき本発明の実施の形態を説明する。【０００９】  図１は、本発明の一実施例を示すＬＥＤ照明器具の斜視図である。
図２は、本発明のヒートシンクの一実施例を示すの斜視図である。【００１０】  このＬＥＤ照明器具は、ＬＥＤ収納部１に複数のＬＥＤが取り付けられ、ＬＥＤ収納部１の背面には複数の板状突起部２１が設けられたヒートシンク２が取り付けられていて、ヒートシンク２の中央部は板状突起部２１がなく、板状突起部がない範囲２２は板状突起部２１の全重量の該１／３である。ヒートシンク２の上部には、器具の美観を良くする笠３が取り付けられ、ヒートシンク２の突起部２１の上面を覆っている。この笠３には複数の放熱穴３１が笠３の上面に設けられているが、放熱穴の位置は笠３の側面でも良い。【００１１】  ＬＥＤ器具が点灯するとＬＥＤの温度が上昇し、その温度はヒートシンク２に伝達され、ヒートシンク２の温度が上昇する。ヒートシンク２は外気より高温になるため、空気の対流により外気はヒートシンク２の板状突起部間に流れ込み、ヒートシンク２の温度は外気で低下し、内部の熱い空気は放熱穴３１を通して器具外部に放出される。
板状突起部２１がヒートシンク２全体にあるときのＬＥＤの温度上昇は５５Ｋであるが、中央部の板状突起部がない範囲２２が板状突起部全重量の１／３でもＬＥＤの温度上昇は５５Ｋであるが、それ以上、例えば板状突起部の１／２の中央部をなくすとＬＥＤの温度上昇は６２Ｋになり、温度上昇は大きく上昇する。【００１２】  ＬＥＤの温度上昇試験を行ったところ、笠３に放熱穴３１を設けないとＬＥＤの温度は１５Ｋ上昇する。また、笠３に放熱穴３１を設けず、本発明品とＬＥＤの温度上昇を同一にするには、ヒートシンク２の大きさを１．５倍にしなければならない。美観を良くする笠３を取り付けて、笠３に放熱穴３１を設けることでヒートシンクを小型化し、照明器具の重量を軽量化できる。
【図面の簡単な説明】
【００１３】
【図１】本発明の一実施例を示すＬＥＤ照明器具の斜視図。
【図２】本発明のヒートシンク一実施例を示す斜視図。
【符号の説明】
【００１４】１・・・ＬＥＤ収納部          ２・・・ヒートシンク
２１・・・ヒートシンクの板状突起部
２２・・・板状突起部がない範囲
３・・・笠    ３１・・・笠の放熱穴
【手続補正２】
【補正対象書類名】特許請求の範囲
【補正対象項目名】全文
【補正方法】変更
【補正の内容】
【特許請求の範囲】
【請求項１】
ＬＥＤ光源の裏面部に複数個の板状突起部を設けたヒートシンクを取付け、前記ヒートシンクの中央部は板状突起部がなく、突起部がない範囲は全板状突起部の該１／３で、前記突起部上端部を複数個の放熱穴を設けた笠で覆ってなるＬＥＤ照明器具。